(57)【要約】【課題】操作体の抜け止めが確実で、小型で組立性の良好な回動操作型電気部品を提供する。【解決手段】本発明の回動操作型電気部品は、第１のスイッチ部Ｐを収容するケーシング１と、このケーシング１の側壁１ｆに回動可能に支持され、回動動作によってによって第１のスイッチ部Ｐを操作する操作体１５とを備え、操作体１５は、回動軸線Ｇ１方向に延びる抜け止め部１５ｋを有すると共に、ケーシング１を取り付けるための取付部材１８を有し、取付部材１８は、抜け止め部１５ｋに対して、操作体１５の操作側である前方部への動きを規制して、ケーシング１からの操作体１５の抜け止めを行うようにしたため、取付部材１８による操作体１５の係止が確実となり、操作体１５が前方部方向に引っ張られたり、或いは、衝撃等が加わった場合でも、操作体がケーシングから抜け出ることがない。【選択図】        図１
2004259489.tif 000002
【特許請求の範囲】
【請求項１】
第１のスイッチ部を収容するケーシングと、このケーシングの側壁に回動可能に支持され、回動動作によってに前記第１のスイッチ部を操作する操作体とを備え、前記操作体は、回動軸線方向に延びる抜け止め部を有すると共に、前記ケーシングを取り付けるための取付部材を有し、前記取付部材は、前記抜け止め部に対して、前記操作体の操作側である前方部への動きを規制して、前記ケーシングからの前記操作体の抜け止めを行うようにしたことを特徴とする回動操作型電気部品。
【請求項２】
前記ケーシングは、間隔をおいて互いに対向する一対の側壁と、この側壁のそれぞれに設けられた係合凹部を有し、前記操作体は、間隔をおいて互いに対向して配置された一対の腕部と、この腕部のそれぞれに設けられ、前記係合凹部に掛け止めされる係合爪を有し、前記操作体は、前記係合爪を軸として回動すると共に、前記係合凹部への前記係合爪の掛け止めによって、前記操作体の前記前方部への抜け止めを行うようにしたことを特徴とする請求項１に記載の回動操作型電気部品。
【請求項３】
前記抜け止め部は凸部で構成されると共に、前記凸部は前記腕部から外方に突出するように前記腕部に設けられ、前記凸部は、前記取付部材によって前記前方部への動きが規制されるようにしたことを特徴とする請求項２記載の回動操作型電気部品。
【請求項４】
前記取付部材は、間隔をおいて互いに対向する一対の支持腕と、この一対の支持腕を繋ぐ連結部と、前記一対の支持腕に設けられ、前記凸部を係止するための係止孔を有すると共に、前記一対の支持腕が前記腕部の外側に配置されて、前記凸部が前記係止孔内に位置したことを特徴とする請求項３記載の回動操作型電気部品。
【請求項５】
前記取付部材が金属板で形成されたことを特徴とする請求項４記載の回動操作型電気部品。
【請求項６】
前記抜け止め部と前記係合爪が前記操作体の回動軸線上に設けられたことを特徴とする請求項４，又は５記載の回動操作型電気部品。
【請求項７】
前記操作体は上下動可能に設けられると共に、前記操作体の上下動によって操作される第２のスイッチ部を有し、前記係合凹部、及び前記係止孔には、前記操作体の上下動を許容する逃げ部が設けられたことを特徴とする請求項４〜６の何れかに記載の回動操作型電気部品。
【請求項８】
前記取付部材は弾性片を有し、前記取付部材が前記弾性片によって電子機器に取り付けられたことを特徴とする請求項４〜７の何れかに記載の回動操作型電気部品。
【請求項９】
前記電子機器は、取付壁を設けた収容部を有する筺体を備え、前記ケーシングが前記収容部内に収容された状態で、前記弾性片を前記取付壁に弾接させることを特徴とする請求項８記載の回動操作型電気部品。
【請求項１０】
前記操作体に取り付けられる操作部材を有し、この操作部材には一対の取付脚が設けられ、前記取付脚が前記一対の腕部間に位置した状態で、前記腕部に取り付けられたことを特徴とする請求項４〜９の何れかに記載の回動操作型電気部品。
【発明の詳細な説明】
【０００１】
【発明の属する技術分野】
本発明は、携帯電話、ＰＨＳ等の携帯用電子機器等に使用して好適な回動操作型電気部品に関する。
【０００２】
【従来の技術】
従来の回動操作型電気部品の図面を説明すると、図１４は従来の回動操作型電気部品の分解斜視図、図１５は従来の回動操作型電気部品に係り、操作部材を取り付けた状態を示す要部断面図、図１６は従来の回動操作型電気部品の操作を説明するための説明図、図１７は従来の回動操作型電気部品の操作を説明するための説明図である。
【０００３】
従来の回動操作型電気部品を図１４〜図１７に基づいて説明すると、箱形のケーシング５０は、矩形状の底壁５０ａと、この底壁５０ａの四方から上方に延びる４個の側壁５０ｂと、対向する一つの側壁５０ｂの外側面に設けられた係合凹部５０ｃを有する。
【０００４】
そして、この底壁５０ａの中央部に接点５１ａ、５１ｂが配置されると共に、この接点５１ａ、５１ｂ間をＯＮ、ＯＦＦするためのドームばね５２が設けられて、プッシュスイッチＰが構成されている。
また、その接点５１ａ、５１ｂの両側には、固定接点５３ａ、５３ｂが設けられると共に、その固定接点５３ａ、５３ｂの外側に設けられた凹部内には、コイルバネ５４が配置されている。
【０００５】
合成樹脂の成型品からなる可動体５５は、中央部に孔５５ａを有する本体部５５ｂと、本体部５５ｂから上方に突出する一つの保持部１０ｃを有しており、この可動体５５は、ケーシング５０内に収納された状態で、コイルバネ５４の端部に当接して配置され、可動体５５は、コイルバネ５４の弾性に抗してスライド移動可能となっている。
【０００６】
本体部５５ｂの下面には、可動接点５６が取り付けられており、この可動接点５６は、固定接点５３ａ、５３ｂに接離して、スライドスイッチＳが構成されている。
板状のカバー５７は、孔５７ａから保持部５５ｃを突出した状態で、ケーシング５０に取り付けられて、可動体５５のスライド移動を可能としている。
【０００７】
押圧部材５８は、孔５５ａ内に上下動可能に配置されて、ドームバネ５４を動作されるようになると共に、この押圧部材５８上には、ねじりバネ５９が配置されて、ねじりバネ５９によって、押圧部材５８が押圧されるようになっている。
【０００８】
合成樹脂の成型品からなる操作体６０は、軸部６０ａを設けた基体６０ｂと、基体６０ｂの両端から下方に延びる一対の腕部６０ｃと、腕部６０ｃの端部に設けられて内方に突出する係止爪６０ｄと、腕部６０ｃの外側面に設けられた係止突起６０ｅと、基体６０ｂの下面に設けられた保持部６０ｆを有する。
【０００９】
この操作体６０は、係止爪６０ｄが係合凹部５０ｃに掛け止めされて、回動可能で、且つ、上下方向に移動可能に取り付けらると共に、ねじりバネ５９が保持部６０ｆに保持された状態で、ねじりバネ５９の両端部が操作体６０に弾接し、且つ、軸部６０ａが保持部５５ｃで保持された状態になっている。
【００１０】
そして、操作体６０が係止爪６０ｄを軸として、ねじりバネ５９のバネ性に抗して回動した際、図１６に示すように、軸部６０ａは、可動体５５を引っかけてスライド移動させ、その結果、可動接点５６が移動して、スライドスイッチＳが操作される。
また、操作体６０の回動力を解除すると、ねじりバネ５９によって、元の状態に復帰するようになる。
【００１１】
次に、図１７に示す状態で操作体６０を押圧すると、ねじりバネ５９を介して押圧部材５８が押圧されて下方に移動し、すると、ドームバネ５２が押されて反転動作し、接点５１ａ、５１ｂがＯＮ状態となる。
また、操作体６０の押圧力を解除すると、ドームバネ５２は元の状態に戻ると共に、押圧部材５８，ねじりバネ５９，及び操作体６０も元の状態に戻る。例えば、特許文献１参照）
【００１２】
このような回動操作型電気部品は、図１５に示すように、操作部材６１が操作体６０に取り付けられて操作されるようになっている。
操作部材６１は、操作部６１ａと、この操作部６１ａの両端部から下方に延びる一対の取付脚６１ｂと、取付脚６１ｂに設けられた孔６１ｃを有し、この操作部材６１は、一対の取付脚６１ｂが操作体６０の腕部６０ｃの外側面に配置されて状態で、係止突起６０ｅが孔６１ｃに掛け止めされて取り付けれらている。
【００１３】
そして、この操作部材６１を操作することによって、操作体６０を可動して、回動操作型電気部品が操作されるようになっているが、この操作部材６１や操作体６０が操作体６０の操作側である前方部方向に引っ張られたり、或いは、回動操作型電気部品に衝撃等が加わった場合、係止爪６０ｄが係合凹部５０ｃから外れて、操作体６０や操作部材６１がケーシング５０から抜け出るものであった。
【００１４】
【特許文献１】
特開２００２−３１３１９２号公報
【００１５】
【発明が解決しようとする課題】
従来の回動操作型電気部品は、操作体６０の係止爪６０ｄがケーシング５０の係合凹部５０ｃに係止されたものであるため、操作体６０が前方部方向に引っ張られたり、或いは、回動操作型電気部品に衝撃等が加わった場合、係止爪６０ｄが係合凹部５０ｃから外れて、操作体６０がケーシング５０から抜け出るという問題がある。
また、操作部材６１は、操作体６０の腕部６０ｃの外側に配置されるため、横方向に大型になるという問題がある。
【００１６】
本発明は操作体の抜け止めが確実で、小型で組立性の良好な回動操作型電気部品を提供することを目的とする。
【００１７】
【課題を解決するための手段】
上記課題を解決するための第１の手段として、第１のスイッチ部を収容するケーシングと、このケーシングの側壁に回動可能に支持され、回動動作によって前記第１のスイッチ部を操作する操作体とを備え、前記操作体は、回動軸線方向に延びる抜け止め部を有すると共に、前記ケーシングを取り付けるための取付部材を有し、前記取付部材は、前記抜け止め部に対して、前記操作体の操作側である前方部への動きを規制して、前記ケーシングからの前記操作体の抜け止めを行うようにした構成とした。
【００１８】
また、第２の解決手段として、前記ケーシングは、間隔をおいて互いに対向する一対の側壁と、この側壁のそれぞれに設けられた係合凹部を有し、前記操作体は、間隔をおいて互いに対向して配置された一対の腕部と、この腕部のそれぞれに設けられ、前記係合凹部に掛け止めされる係合爪を有し、前記操作体は、前記係合爪を軸として回動すると共に、前記係合凹部への前記係合爪の掛け止めによって、前記操作体の前記前方部への抜け止めを行うようにした構成とした。
【００１９】
また、第３の解決手段として、前記抜け止め部は凸部で構成されると共に、前記凸部は前記腕部から外方に突出するように前記腕部に設けられ、前記凸部は、前記取付部材によって前記前方部への動きが規制されるようにした構成とした。また、第４の解決手段として、前記取付部材は、間隔をおいて互いに対向する一対の支持腕と、この一対の支持腕を繋ぐ連結部と、前記一対の支持腕に設けられ、前記凸部を係止するための係止孔を有すると共に、前記一対の支持腕が前記腕部の外側に配置されて、前記凸部が前記係止孔内に位置した構成とした。
【００２０】
また、第５の解決手段として、前記取付部材が金属板で形成された構成とした。  また、第６の解決手段として、前記抜け止め部と前記係合爪が前記操作体の回動軸線上に設けられた構成とした。
また、第７の解決手段として、前記操作体は上下動可能に設けられると共に、前記操作体の上下動によって操作される第２のスイッチ部を有し、前記係合凹部、及び前記係止孔には、前記操作体の上下動を許容する逃げ部が設けられた構成とした。
【００２１】
また、第８の解決手段として、前記取付部材は弾性片を有し、前記取付部材が前記弾性片によって電子機器に取り付けられた構成とした。
また、第９の解決手段として、前記電子機器は、取付壁を設けた収容部を有する筺体を備え、前記ケーシングが前記収容部内に収容された状態で、前記弾性片を前記取付壁に弾接させる構成とした。
また、第１０の解決手段として、前記操作体に取り付けられる操作部材を有し、この操作部材には一対の取付脚が設けられ、前記取付脚が前記一対の腕部間に位置した状態で、前記腕部に取り付けられた構成とした。
【００２２】
【発明の実施の形態】
本発明の回動操作型電気部品の図面を説明すると、図１は本発明の回動操作型電気部品の要部断面図、図２は操作部材と取付部材を取り去った状態の図１の２−２線における断面図、図３は操作部材と取付部材を取り去った状態の図１の３−３線における断面図、図４は本発明の回動操作型電気部品の要部の分解斜視図である。
【００２３】
また、図５は本発明の回動操作型電気部品のケーシングの上面図、図６は図５の６−６線における断面図、図７は本発明の回動操作型電気部品の操作体の上面図、図８は図７の８−８線における断面図、図９は本発明の回動操作型電気部品の可動体の下面図、図１０は図９の１０−１０線における断面図である。
【００２４】
また、図１１は本発明の回動操作型電気部品の操作を説明するための説明図、図１２は本発明の回動操作型電気部品の操作を説明するための説明図、図１３は本発明の回動操作型電気部品に係り、取付部材と筺体を示す分解斜視図である。
【００２５】
本発明の回動操作型電気部品を図１〜図１２に基づいて説明すると、箱形のケーシング１は、合成樹脂の成型品からなり、矩形状の平板からなる底壁１ａと、この底壁１ａの四方から上方に延びる４個の側壁１ｆと、底壁１ａの中央部に形成されている円状の凹部１ｂと、該凹部１ｂの両側近傍に形成され、短手方向に延びる一対の第１の溝部１ｃと、該第１の溝部１ｃの外側に形成され、短手方向に延びる一対の第２の溝部１ｄと、該第２の溝部１ｄの両壁部に設けられた凹部で、断面半円状を呈する収納部１ｅとを有し、この収納部１ｅは凹部１ｂの径と同等の長さをなしている。
また、短手方向に延びる一対の側壁１ｆの外面の中間には、逆Ｕ字状の突起で下方部を開放した係合凹部１ｇが形成されている。
【００２６】
プッシュスイッチ（第２のスイッチ部）用の固定接点２は、中央接点２ａと、弓状の周辺接点２ｂとを有し、これらの固定接点２は凹部１ｂ内に埋設され、中央接点２ａの先端が露出すると共に、周辺接点２ｂが中央接点２ａを囲むように露出した状態となっている。
【００２７】
第１の固定接点３ａは帯状を呈する金属板からなり、第１の溝部１ｃ内で露出すると共に、端子が埋設されて外部に突出した状態になっている。
また、第２の固定接点３ｂは、第１の固定接点３ａと同幅を有する短い金属板からなり、第１の溝部１ｃの端部近傍に露出すると共に、端子が埋設されて外部に突出した状態となっている。
また、この第１、第２の固定接点３ａ、３ｂの間には底壁１ａの内底面が露出して露出部１ｋを形成している。
このような構成をなした第１、第２の固定接点３ａ、３ｂが固定接点２の両側に配置されている。
【００２８】
ドームバネ４は、ドーム状の金属からなり、反転可能となっており、凹部１ｂ内に載置されて収納されている。
そして、このドームバネ４と固定接点２とでプッシュスイッチＰが構成されている。
【００２９】
シート５は、絶縁性の可撓性を有するフィルムからなり、ドームバネ４をケーシング１に保持するためのものであり、凹部１ｂを覆うようにケーシング１に貼り付けられて固定されている。
【００３０】
コイルバネ６は金属製のバネであり、それぞれの第２の溝部１ｄの両側壁に形成された収納部１ｅ内に収納され、両方の端部６ａのそれぞれが収納部１ｅの端部に形成された止め部１ｈに弾接した状態になっており、外部からの荷重によって伸縮可能となっている。
このコイルバネ６は、一旦縮められてから収納部１ｅ内に組み込まれるものである。
【００３１】
可動体１０は、図９、図１０に示すように、合成樹脂の成型品からなる本体部１０ａと、該本体部１０ａに取り付けられている一枚の金属板からなる摺動子１０ｂとから構成され、本体部１０ａは、平板状の基部１０ｃと、該基部１０ｃの中央に形成された貫通孔１０ｄと、該貫通孔１０ｄを挟んだ両側に一対形成され、上方に突出して形成された略Ｕ字状の保持部１０ｅと、下面の両端にそれぞれ形成され、短手方向に延びると共に、外部に開放するように形成された凹部１０ｆと、この凹部１０ｆの端部に隣接して配置され、下方に突出して４角に形成された突起１０ｇとを有する。
【００３２】
摺動子１０ｂは、平板状の取付部１０ｈと、該取付部１０ｈの両端で折り曲げられて形成された２本の摺動子片１０ｋとを有し、取付部１０ｈが本体部１０ａの基部１０ｃに埋設されて固定されていると共に、これらの摺動子１０ｂは、図９に示すように、互いに反対方向を向いている。
【００３３】
このような可動体１０は、ケーシング１に短手方向にスライド移動可能に収納されている。
即ち、収納部１ｅと同じ長さである凹部１０ｆが収納部１ｅと対向して空間を形成し、コイルバネ６がその空間に収納されるようになり、突起１０ｇは第２の溝部１ｄ内に挿入されると共に、コイルバネ６の端部６ａと当接した状態になっており、また、その際に端部６ａは止め部１ｈを弾圧する状態となっている。
そして、可動体１０が移動すると、突起１０ｇが第２の溝部１ｄ内を移動すると共に、該突起１０ｇがコイルバネ６の端部６ａを押圧して、コイルバネ６が縮むようになっている。
また、可動体１０への操作力が解除されると、コイルバネ６の復帰力によって、端部６ａによって突起１０ｇが付勢されて、可動体１０が中立位置に復帰する。  なお、可動体１０が中立位置にあるときは、貫通孔１０ｄと、プッシュスイッチ（第２のスイッチ部）Ｐが高さ方向で一直線上に位置する状態となっている。
【００３４】
摺動子１０ｂは、可動体１０が中立位置にあるときは、摺動子片１０ｋが露出部１ｋ上に摺接しており、可動体１０が移動することで、２個の摺動子片１０ｋが移動して、第１、第２の固定接点３ａ、３ｂ間を導通してＯＮ信号が出力される。
また、可動体１０がコイルバネ６に付勢されて中立位置に復帰すると、摺動子片１０ｋは再び露出部１ｋ上に摺接し、ＯＦＦとなり、このような構成によって、１組のスライドスイッチ（第１のスイッチ部）Ｓが形成されている。
【００３５】
押圧部材１０ｍは、金属材からなり、矩形状をなしている。
このような押圧部材１０ｍは、可動体１０の貫通孔１０ｄ内に上下動可能に収納され、ドームバネ４を押圧可能となっている。
【００３６】
カバー１１は、金属板をプレス加工した後に、折り曲げ加工したものから構成され、平板状の板状部１１ａと、該板状部１１ａの中央部に形成された正方形状の第１の通孔１１ｂと、この第１の通孔１１ｂの両側近傍に設けられた矩形状の第２の通孔１１ｃと、板状部１１ａの側縁に複数個設けられたＬ字状の脚部１１ｄとを有する。
【００３７】
このようなカバー１１は、脚部１１ｄがケーシング１の側壁１ｆにスナップ止めれることで、ケーシング１に固定されている。
そして、第２の通孔１１ｃを保持部１０ｅが貫通して、上方に突出した状態となっている。
また、カバー１１は、ケーシング１と協同して、可動体１０をスライド可能に保持している。
【００３８】
操作体１５は、合成樹脂の成型品からなり、図７、８に示すように、細長の矩形状の基体１５ａと、この基体１５ａの両端から垂下して形成された一対の腕部１５ｂとを有し、基体１５ａは、上面の中央に形成された円状の凹部１５ｃと、この凹部１５ｃの両側近傍に一対形成された短手方向に延びる第１の連通孔１５ｄと、この第１の連通孔１５ｄに隣接して設けられた第２の連通孔１５ｅとを有し、第１の連通孔１５ｄの中間部には、基体１５ａの長手方向に延びるように丸棒状の軸部１５ｈが形成されている。
【００３９】
また、基体１５ａの下面の中央部には、２本の鉤状の突起が対向した状態で下方に延びて保持部１５ｆが形成されており、腕部１５ｂの内側の下端部には、互いに向かい合うように半円状の係合爪１５ｇが形成されていると共に、腕部１５ｂの外側には、係合爪１５ｇと反対方向に延びる凸部からなる抜け止め部１５ｋが設けられている。
そして、係合爪１５ｇと抜け止め部１５ｋは、回動軸線Ｇ１上に位置した状態で設けられている。
また、腕部１５ｂのそれぞれには、操作体１５の裏面側にて第２の連通孔１５ｅと通ずる位置に孔１５ｍが設けられている。
【００４０】
なお、凸部からなる抜け止め部１５ｋは、回動軸線Ｇ１上に位置せず、回動軸線Ｇ１から若干離れた位置で、回動軸線Ｇ１方向に延びた状態で形成されても良い。
【００４１】
付勢部材たるねじりバネ１６は、巻回部１６ａと、巻回部１６ａの両端から離れる方向に延びる一対の第１、第２のアーム部１６ｂ、１６ｃとを有し、巻回部１６ａが操作体１５の保持部１５ｆに掛け止めされ、第１、第２のアーム部１６ｂ、１６ｃが操作体１５の下面に当接した状態で、このねじりバネ１６は操作体１５に保持されている。
【００４２】
このようにねじりバネ１６が保持された操作体１５は、係合爪１５ｇがケーシング１の係合凹部１ｇ内に係合することで、ケーシング１に回動可能に保持される。
また、ねじりバネ１６は、巻回部１６ａが押圧部材１０ｍの上面に押し付けられた状態となり、第１、第２のアーム部１６ｂ、１６ｃで操作体１５を上方に付勢している。
即ち、押圧部材１０ｍがドームバネ４の頂部で弾圧保持されて押付部となっている。
また、操作体１５は、係合爪１５ｇがケーシング１の係合凹部１ｇ内で上下動可能となっているので、ケーシング１に対して上下動可能となっており、この操作体１５は、ねじりバネ１６によって上方に付勢されて、係合爪１５ｇが係合凹部１ｇの頂面に当接した状態となっている。
【００４３】
即ち、操作体１５は、係合爪１５ｇが係合凹部１ｇに係合することによって、操作体１５の操作側である前方部への動きが規制されると共に、係合凹部１ｇは、操作体１５の上下動を許容するために逃げ部を設けて、係合凹部１ｇの長さを大きくしている。
【００４４】
また、軸部１５ｈは、可動体１０の保持部１０ｅにガイドされた状態で挿入されるが、ねじりバネ１６が操作体１５を上方に付勢し、操作体１５の回転半径が決まっているので、図２に示すように、保持部１０ｅの先端部付近に位置する状態となり、下方に移動可能なスペースが形成された状態になっている。
【００４５】
このような操作体１５が回動されると、操作体１５は、係合爪１５ｇを軸として回動し、図１１、１２を参照するに、軸部１５ｈが保持部１０ｅを水平方向に押圧することで、可動体１０が、カバー１１とケーシング１にガイドされてスライド移動し、摺動子片１０ｋが第１、第２の固定接点３ａ、３ｂ間を導通させて、ＯＮ信号が出力されるようになっている。
この時、突起１０ｇにより、コイルバネ６が付勢されて可動体１０の移動方向に縮んでいるので、操作力が解除されると、コイルバネ６が復帰して、突起１０ｇが付勢されて、可動体１０が中立位置に復帰するようになっている。
このようにして、スライドスイッチ（第１のスイッチ部）Ｓの操作が行われるようになっている。
【００４６】
また、操作体１５は、ケーシング１に対して上下動可能となっているので、この操作体１５が下方に押圧されると、軸部１５ｈが保持部１０ｅ内でガイドされると共に、係合部１５ｇがケーシング１の係合凹部１ｇ内でガイドされて、下方に移動すると共に、ねじりバネ１６が押圧部材１０ｍを下方に押圧し、シート５を介してドームバネ４が押圧され、プッシュスイッチ（第２のスイッチ部）Ｐが操作されるようになっている。
そして、押圧力が解除されると、ドームバネ４が反転して、押圧部材１０ｍが上方に移動すると共に、ねじりバネ１６が上方に移動して、操作体１５が元の状態に復帰するようになっている。
【００４７】
本発明の回動操作型電気部品は、上記のような構成を有し、次にその動作について、図１１、図１２に基づいて説明すると、操作体１５が回動操作されると、係合爪１５ｇを回動中心として回動し、軸部１５ｈによって可動体１０が回動方向と同一の方向に直線的にスライド移動して、摺動子１０ｂが移動することで、電気信号が出力される。
このように、回動中心を軸部１５ｈと保持部１０ｅとの挿入位置に対して、下方にすることで、回動半径を稼ぎ、可動体１０の移動量を大きくつつ、薄型化を図ることができるようになっている。
更に、操作体１５はねじりバネ１６により上方に付勢された状態になっているので、ガタツキがない。
また、ねじりバネ１６は操作体１５に追従するので、両者間で摩擦が発生することがなくねじりバネ１６が傷つくことがない。
【００４８】
また、操作力が解除されると、コイルバネ６により可動体１０自身が押圧されて、可動体１０が中立位置に復帰してＯＦＦ状態となる。
このようにコイルバネ６で、可動体１０そのものを復帰させるので、確実に中立位置に復帰させることができる。
なお、可動体１０が移動することで、押圧部材１０ｍが下方に付勢された状態で連動するが、シート５上を移動するので、ドームバネ４が傷つくことはない。
【００４９】
また、操作体１５が下方に押圧されると、押圧部材１０ｍが押圧されて、プッシュスイッチ（第２のスイッチ部）ＰがＯＮ状態となる。
また、押圧力が解除されると、ドームバネ４が反転して、プッシュスイッチ（第２のスイッチ部）ＰがＯＦＦ状態となる。
また、図１２に示すように、操作体１５が回動しても、ねじりバネ１６は押圧部材１０ｍに当接するようになっているので、プッシュスイッチ（第２のスイッチ部）Ｐを操作することが可能である。
【００５０】
本発明の回動操作型電気部品は、上記のような構成、動作をなすが、上記説明した形態に限られないのはいうまでもなく、上記形態では、ケーシング１に導電パターンたる固定接点３ａ、３ｂが形成され、可動体１０に摺動子１０ｂが取り付けられているが、ケーシング１に摺動子を設け、可動体１０に導電パターンを形成しても良い。
また、プッシュスイッチ（第２のスイッチ部）Ｐがない形態であっても良い。この時は、押圧部材は上下動可能でなくても良く、或いは可動体１０の本体部１０ａの一部であっても良い。
更に、導電パターンを抵抗体として、可変抵抗器を構成するようにしても良い。
【００５１】
次に、図１に示す操作部材１７について説明すると、この操作部材１７は、つまみ等で構成され、操作部１７ａと、この操作部１７ａの両端部から下方に延びる一対の取付脚１７ｂと、この取付脚１７ｂの先端に設けられた外向きの係止突起１７ｃを有する。
この操作部材１７は、取付脚１７ｂが操作体１５の第２の連通孔１５ｅに挿入され、係止突起１７ｃが腕部１５ｂに設けられた孔１５ｍに掛け止めされて取り付けられている。
【００５２】
即ち、一対の取付脚１７ｂは、一対の腕部１５ｂ間内に位置して、操作部材１７の取付構造の小型化（横方向の寸法の小型化）を図っている。
また、この操作部材１７の操作部１７ａを操作すると、取付脚１７ｂを介して操作体１５が一体的に駆動されるようになっており、即ち、操作部１７ａを回動すると、操作体１５が回動され、また、操作部１７ａを押圧すると、その裏面部によって操作体１５を押圧して、これ等が一体的に下方に移動するようになっている。
【００５３】
なお、操作部材１７には孔を設け、この孔には、腕部１５ｂに設けられた係止突起が掛け止めされるようにしても良い。
【００５４】
次に、金属板や合成樹脂の成型品等からなるコ字状の取付部材１８の構成について説明すると、取付部材１８は、図１，図１３に示すように、間隔をおいて対向して設けられた一対の支持腕１８ａと、この一対の支持腕１８ａを繋ぐ連結部１８ｂと、一対の支持腕１８ａに対向して設けられた係止孔１８ｃと、一対の支持腕１８ａのそれぞれの両側に設けられた４個の弾性片１８ｄを有する。
【００５５】
この取付部材１８は、連結部１８ｂが底壁１ａの下面に位置した状態で、一対の支持腕１８ａが腕部１５ｂを挟持、或いは腕部１５ｂの外面に当接し、且つ、凸部からなる抜け止め部１５ｋが係止孔１８ｃ内に位置した状態で、ケーシング１に組み合わされる。
そして、抜け止め部１５ｋが係止孔１８ｃ内に位置することによって、操作体１５は、操作体１５の操作側である前方部への動きが規制されると共に、係止孔１５ｃは、操作体１５の上下動を許容するために逃げ部を設けて、係止孔１５ｃの長さを大きくしている。
【００５６】
即ち、操作体１５は、係合爪１５ｇと係合凹部１ｇの係合による前方部への抜け止めに加えて、抜け止め部１５ｋと係止孔１８ｃの係合によって、操作体１５の前方部への抜け止めを確実にしたものである。
【００５７】
また、図１３に示すように、携帯電話機等の電子機器の筺体１９は、取付壁１９ａを有する収容部１９ｂが設けられており、この収容部１９ｂ内には、取付部材１８の弾性片１８ｄと共にケーシング１の底壁１ａが収容され、弾性片１８ｄが取付壁１９ａに弾接して、取付部材１８，及びケーシング１（回動操作型電気部品）が取り付けられる。
なお、取付壁１９ａによって支持腕１８ａが規制されているので、係止孔１８ｃに抜け止め部１５ｋを係合させて、前方部への引き抜きが生じたとしても、支持腕１８ａが側方に広がるのを規制でき、脱落を確実に防止できる。
【００５８】
即ち、取付部材１８は、回動操作型電気部品を筺体１９に取り付ける部材で、この取付部材１８が回動操作型電気部品に組み合わされた状態で、筺体１９に取付したり、或いは、筺体１９に取り付けられた取付部材１８に対して、回動操作型電気部品が取り付けられるようになっている。
【００５９】
【発明の効果】
本発明の回動操作型電気部品は、第１のスイッチ部を収容するケーシングと、このケーシングの側壁に回動可能に支持され、回動動作によって第１のスイッチ部を操作する操作体とを備え、操作体は、回動軸線方向に延びる抜け止め部を有すると共に、ケーシングを取り付けるための取付部材を有し、取付部材は、抜け止め部に対して、操作体の操作側である前方部への動きを規制して、ケーシングからの操作体の抜け止めを行うようにしたため、取付部材による操作体の係止が確実となり、このため、操作体が前方部方向に引っ張られたり、或いは、衝撃等が加わった場合でも、操作体がケーシングから抜け出ることが無くなる。
【００６０】
また、ケーシングは、間隔をおいて互いに対向する一対の側壁と、この側壁のそれぞれに設けられた係合凹部を有し、操作体は、間隔をおいて互いに対向して配置された一対の腕部と、この腕部のそれぞれに設けられ、係合凹部に掛け止めされる係合爪を有し、操作体は、係合爪を軸として回動すると共に、係合凹部への係合爪の掛け止めによって、操作体の前方部への抜け止めを行うようにしたため、操作体の取付が簡単であると共に、係止爪によっても抜け止め作用が行われて、操作体の抜け止めが一層確実になる。
【００６１】
また、抜け止め部は凸部で構成されると共に、凸部は腕部から外方に突出するように腕部に設けられ、凸部は、取付部材によって前方部への動きが規制されるようにしたため、その構成が簡単であると共に、取付部材が操作体の腕部の外側に配置された状態となり、従って、取付部材によって腕部の広がりを抑えることができて、操作体の抜け止めが一層確実にできる。
【００６２】
また、取付部材は、間隔をおいて互いに対向する一対の支持腕と、この一対の支持腕を繋ぐ連結部と、一対の支持腕に設けられ、凸部を係止するための係止孔を有すると共に、一対の支持腕が腕部の外側に配置されて、凸部が係止孔内に位置したため、取付部材と操作体の組合せは、取付部材内に操作体を位置させるだけで良くなり、組立性の良好なものが得られる。
【００６３】
また、取付部材が金属板で形成されたため、安価で、生産性の良いものが得られる。
【００６４】
また、抜け止め部と係合爪が操作体の回動軸線上に設けられたため、操作体の製造が容易であると共に、抜け止め部と係止爪の抑えを同軸線上にできて、操作体の抜け止めを一層確実にできる。
【００６５】
また、操作体は上下動可能に設けられると共に、操作体の上下動によって操作される第２のスイッチ部を有し、係合凹部、及び係止孔には、操作体の上下動を許容する逃げ部が設けられたため、操作体の上下動によって、第２のスイッチ部が操作可能なものが容易に得られる。
【００６６】
また、取付部材は弾性片を有し、取付部材が弾性片によって電子機器に取り付けられたため、回動操作型電気部品の取付が簡単でると共に、取付部材が操作体の抜け止めを兼ねて、部品点数が少なく、安価なものが得られる。
【００６７】
また、電子機器は、取付壁を設けた収容部を有する筺体を備え、ケーシングが収容部内に収容された状態で、弾性片を取付壁に弾接させるため、取付部材は押し込み動作で取り付けできて、その取り付けが一層簡単である。
【００６８】
また、操作体に取り付けられる操作部材を有し、この操作部材には一対の取付脚が設けられ、取付脚が一対の腕部間に位置した状態で、腕部に取り付けられたため、操作部材の横方向の寸法を小さくできて、横方向に小型のもが得られる。
【図面の簡単な説明】
【図１】本発明の回動操作型電気部品の要部断面図。
【図２】操作部材と取付部材を取り去った状態の図１の２−２線における断面図。
【図３】操作部材と取付部材を取り去った状態の図１の３−３線における断面図。
【図４】本発明の回動操作型電気部品の要部の分解斜視図。
【図５】本発明の回動操作型電気部品のケーシングの上面図。
【図６】図５の６−６線における断面図。
【図７】本発明の回動操作型電気部品の操作体の上面図。
【図８】図７の８−８線における断面図。
【図９】本発明の回動操作型電気部品の可動体の下面図。
【図１０】図９の１０−１０線における断面図。
【図１１】本発明の回動操作型電気部品の操作を説明するための説明図。
【図１２】本発明の回動操作型電気部品の操作を説明するための説明図。
【図１３】本発明の回動操作型電気部品に係り、取付部材と筺体を示す分解斜視図。
【図１４】従来の回動操作型電気部品の分解斜視図。
【図１５】従来の回動操作型電気部品に係り、操作部材を取り付けた状態を示す要部断面図。
【図１６】従来の回動操作型電気部品の操作を説明するための説明図。
【図１７】従来の回動操作型電気部品の操作を説明するための説明図。
【符号の説明】
１  ケーシング
１ａ  底壁
１ｂ  凹部
１ｃ  第１の溝部
１ｄ  第２の溝部
１ｅ  収納部
１ｆ  側壁
１ｇ  係合凹部
１ｈ  止め部
１ｋ  露出部
２  固定接点
２ａ  中央接点
２ｂ  周辺接点
Ｐ  プッシュスイッチ（第２のスイッチ部）
３ａ  第１の固定接点
３ｂ  第２の固定接点
Ｓ  スライドスイッチ（第１のスイッチ部）
４  ドームバネ
５  シート
６  コイルバネ
６ａ  端部
１０  可動体
１０ａ  本体部
１０ｂ  摺動子
１０ｃ  基部
１０ｄ  貫通孔
１０ｅ  保持部
１０ｆ  凹部
１０ｇ  突起
１０ｈ  取付部
１０ｋ  摺動子片
１０ｍ  押圧部材
１１  カバー
１１ａ  板状部
１１ｂ  第１の通孔
１１ｃ  第２の通孔
１１ｄ  脚部
１５  操作体
１５ａ  基体
１５ｂ  腕部
１５ｃ  凹部
１５ｄ  第１の連通孔
１５ｅ  第２の連通孔
１５ｆ  保持部
１５ｇ  係合爪
１５ｈ  軸部
１５ｋ  抜け止め部
１５ｍ  孔
１６  ねじりバネ
１７  操作部材
１７ａ  操作部
１７ｂ  取付脚
１７ｃ  係止突起
１８  取付部材
１８ａ  支持腕
１８ｂ  連結部
１８ｃ  係止孔
１８ｄ  弾性片
１９  筺体
１９ａ  取付壁
１９ｂ  収容部
Ｇ１  回動軸線
【図１】
2004259489.tif 000003
【図２】
2004259489.tif 000004
【図３】
2004259489.tif 000005
【図４】
2004259489.tif 000006
【図５】
2004259489.tif 000007
【図６】
2004259489.tif 000008
【図７】
2004259489.tif 000009
【図８】
2004259489.tif 000010
【図９】
2004259489.tif 000011
【図１０】
2004259489.tif 000012
【図１１】
2004259489.tif 000013
【図１２】
2004259489.tif 000014
【図１３】
2004259489.tif 000015
【図１４】
2004259489.tif 000016
【図１５】
2004259489.tif 000017
【図１６】
2004259489.tif 000018
【図１７】
2004259489.tif 000019